(57)【要約】  画像情報と環境情報（年・月・日・時間、緯度・経度（ＧＰＳ機能）、高度、方位、傾斜角、気圧、温度）を内蔵するメモリー・カードに対で記録する手段と対象物までの距離・高さ測定手段を備えるデジタル・カメラを実現することで、地図情報等と連携したアプリケーション・ソフトウェアでの利用やインターネット上での画像情報共用といった画像情報を幅広く活用するための基盤を構築する。【課題】  現在のデジタル・カメラの機能強化・進歩は手振れ防止や高画素化といった「いかに画像を綺麗に撮るか」といったことが中心で、撮った画像情報を「如何に活用するか」といった視点での開発が現状不十分である。画像情報の幅広い活用を可能にするためには画像情報に加え、その時点での各種環境情報の記録が必要となる。【解決手段】  デジタル・カメラに次の手段を持たせる。（１）画像情報と複数の環境情報を同時に記録できる手段（２）対象物までの距離・高さ（低さ）を測定・表示する手段  画像を幅広く活用できるようにするためには、上記デジタル・カメラによる基盤づくりに加え、（ア）環境情報を利用し地図情報と連携するソフトウェア（イ）インターネットを利用し画像情報を共有する仕組みといった周辺環境の整備も同時に必要となる。【選択図】図３
0003146769.tif 000002
【実用新案登録請求の範囲】
【請求項１】
下記機能（（１）〜（８））を持ち、画像撮影時に画像データとこれら機能（（１）〜（７））により計測された各数値データ（Ｅｘｉｆ形式）を内蔵するメモリー・カードに対で記録する手段と、機能（５）、（８）により対象物までの距離やその高さ（低さ）を計測・算出し結果を表示画面に図示する手段を備えたデジタル・カメラ。
（１）年・月・日・時間  測定機能
（２）緯度・経度  測定機能（ＧＰＳ機能）
（３）高度  測定機能
（４）方位  測定機能
（５）傾斜角  測定機能
（６）気圧  測定機能
（７）温度  測定機能
（８）対象物までの距離測定、高さ（低さ）算出・表示機能
【考案の詳細な説明】
【技術分野】
【０００１】  本実用新案は画像情報に加え、撮影時点の環境情報（年・月・日・時間、緯度・経度（ＧＰＳ機能）、高度、方位、傾斜角、気圧、温度、目標物までの距離・高さ（低さ））を測定・記録・算出・表示する手段を備えたデジタル・カメラである。図３【０００２】  測定された環境情報（年・月・日・時間、緯度・経度（ＧＰＳ機能）、高度、方位、傾斜角、気圧、温度）は画像情報と対でデジタル・カメラに内蔵されたメモリー・カードにＥｘｉｆ形式で記録される。図６図７【０００３】  また、対象物までの距離測定、高さ（低さ）算出・表示機能と傾斜角測定機能を使って対象物までの距離とその高さ（低さ）を算出し、デジタル・カメラの表示画面に図示する。図８
【背景技術】
【０００４】  請求項１におけるデジタル・カメラの各機能は、傾斜角測定機能を除きデジタル・カメラや他の機器に既に実装されているものをデジタル・カメラ上にインテグレイトして利用者の一層の利便性向上を図るものである。年・月・日・時間の測定・記録機能はデジタル・カメラ上で、ＧＰＳ機能（緯度・経度測定機能）は携帯電話機やＧＰＳ専用機器で、高度、気圧、温度、方位測定機能は腕時計等で既に実装されている。【０００５】  ゴルフのピンまでの距離測定用専用機器等がすでに市販されている。携帯電話カメラでの特許公開も存在する。（特許公開２００６−３２９９６７）
【考案の開示】
【考案が解決しようとする課題】
【０００６】  請求項１に関しては、現在のデジタル・カメラの機能強化は手振れ防止や高画素化といった「いかに写真を綺麗に撮るか」が中心で撮った画像情報を「如何に活用するか」の視点やトータル・システム対応に欠けている。具体的には年・月・日・時間を記録することでその画像情報が何時記録されたかを知ることは容易だが、どこで、どの様な状況で記録されたかを後々思い出すのは難しい。したがって、記録された画像情報の管理や効果的活用のためには年・月・日・時間に加え、位置情報（緯度・経度）等といった環境情報の同時記録が必要となる。【０００７】  デジタル・カメラとゴルフのピンまでの専用距離測定機器は現在それぞれ別々に存在する。同じ光学機器ということからも一つの機器で両機能が実現できればユーザーの利便性が高まり、かつ  新たな活用分野も広がる。
【課題を解決するための手段】
【考案の効果】
【０００８】  請求項１に関しては、デジタル・カメラに年・月・日・時間、緯度・経度（ＧＰＳ）、高度、方位、傾斜角、気圧、温度、距離・高さ（低さ）の各測定・算出・表示機能を持たせる。これらの機能は傾斜角測定機能  図９を除き、デジタル・カメラや他の機器上ですでに実装されているものをデジタル・カメラ上で有機的に結合したものである。傾斜角測定機能は傾斜角測定装置内部の円柱空間の中心に固定された回転軸に接続する円周上に角度目盛と円周のちょうど真ん中に重りを持った半円盤  および  装置内空間の最下部に設置された位置読取部からなる。角度目盛はデジタル・カメラの前方四分の一部分がプラス、後方四分の一部分はマイナスとなる。シャッターを押すと画像情報と共に年・月・日・時間、緯度・経度、高度、方位、傾斜角、気圧、温度情報がＥｘｉｆ形式でメモリー・カードに記録される。これらの情報をアプリケーション・ソフトウェア等で活用することにより、年・月・日・時間の情報により何時記録されたかを知ることが出来るだけでなく、どこで、どの様な状況で記録されたかを知ることが可能となる。年・月・日・時間に関しては画像の管理や印刷時の利便性を考慮し、画像情報上に重ねて記録することも可能。図６図７【０００９】  デジタル・カメラの対象物距離測定ボタンをオンにセットし、ファインダーの十字を目標物に合わせ、軽くシャッターを押す。その結果、対象物までの距離と高さ（低さ）がデジタル・カメラの表示画面に図示される。これは距離測定機能と傾斜角測定機能により測定、高さ算出機能により算出（ＳｉｎΘ）される。距離と高さ（低さ）はメートルまたはヤード選択が可能。図４図８
【考案を実施するための最良の形態】
【００１０】  利用者の利便性を大幅に向上させるためには、デジタル・カメラの機能強化だけでは限界がある。記録された環境情報をフルに活用するためには、地図情報やアプリケーション・ソフトウェアとの連携、インターネット上での情報共有までを包括した総合的な仕組み作りが必要となる。図２
【実施例】
【００１１】  ゴルフのピンまでの距離や高さ（低さ）を測定する。
建物や記念物などの高さを測定する。
対象の建物、場所までの距離を測定する。【００１２】  アプリケーション・ソフトウェアや地図情報、インターネットと連携させることで下記が実現できる。
不動産情報管理
産業廃棄物状況管理
旅行風景の時系列でのトラッキング
動物や植物の全国生息分布調査
野草、野鳥、昆虫、魚
化石等発掘情報管理
遺跡情報管理
鉄道関連情報管理
風景情報管理
山、川、滝、海、空、橋、・・・
日本の建物情報管理
ビルディング、寺院、・・・
観光スポット情報管理
動物園、水族館、美術館、博物館、・・・・
日本の銘木情報管理
日本の庭園情報管理
お勧めの店情報管理  等
【産業上の利用可能性】
【００１３】  いつ、何処でという情報が大きな意味を持つ画像情報管理において大きな効果が発揮される。例えば、不動産情報管理においては取扱う不動産物件の地図上の位置や物件の状況やその環境が画像情報で確認でき販促に役立てられる。産業廃棄物状況管理では違法に投棄された産業廃棄物の情報をインターネット上に登録してもらえれば、何処にどんな物が投棄されているかといった状況を正確に把握することが出来るようになるため、その対応を行政としてタイムリーに実施することが可能となる。また、全国で撮影された蝶の画像をインターネット上で数多く共用されれば、全国規模でいつ何処でどんな蝶が見られるかといったことや、ある種類の蝶の日本国内での生息分布、移動状況といった学術的なデータとしても活用可能となる。
【図面の簡単な説明】
【００１４】
【図１】次世代デジタル画像情報活用の方向
【図２】次世代デジタル画像情報活用のための仕組み全体図
【図３】当該実用新案登録出願におけるデジタル・カメラ新機能のまとめ
【図４】当該実用新案登録出願におけるデジタル・カメラの外観
【図５】当該実用新案登録出願におけるデジタル・カメラ新機能画像の画像表示画面への表示
【図６】当該実用新案登録出願におけるデジタル・カメラ新機能画像と時間情報のメモリー画像部への記録
【図７】当該実用新案登録出願におけるデジタル・カメラ新機能各環境情報のメモリー数値・Ｔｅｘｔ部への記録
【図８】当該実用新案登録出願におけるデジタル・カメラ新機能対象物の距離と高さ（低さ）の画像表示部への表示
【図９】当該実用新案登録出願におけるデジタル・カメラ新機能傾斜角測定機能の仕組み
【図１】
0003146769.tif 000003
【図２】
0003146769.tif 000004
【図３】
0003146769.tif 000005
【図４】
0003146769.tif 000006
【図５】
0003146769.tif 000007
【図６】
0003146769.tif 000008
【図７】
0003146769.tif 000009
【図８】
0003146769.tif 000010
【図９】
0003146769.tif 000011
【手続補正書】
【提出日】平成20年8月22日(2008.8.22)
【手続補正１】
【補正対象書類名】実用新案登録請求の範囲
【補正対象項目名】全文
【補正方法】変更
【補正の内容】
【実用新案登録請求の範囲】
【請求項１】
下記機能（（１）〜（８））を持ち、画像撮影時に画像データとこれら機能（（１）〜（７））により計測される各数値データを内蔵するメモリー・カードに対で記録する手段と、機能（５）、（８）により対象物までの距離とその高さ（低さ）を計測・算出し、結果を表示画面に図示する手段を備えたデジタル・カメラ。
（１）年・月・日・時間  測定機能
（２）ＧＰＳ機能による緯度・経度  測定機能
（３）高度  測定機能
（４）方位  測定機能
（５）傾斜角  測定機能
（６）気圧  測定機能
（７）温度  測定機能
（８）対象物までの距離測定、高さ（低さ）算出・表示機能
【手続補正２】
【補正対象書類名】明細書
【補正対象項目名】全文
【補正方法】変更
【補正の内容】
【考案の詳細な説明】
【技術分野】
【０００１】  本実用新案は画像情報に加え、撮影時点の環境情報（年・月・日・時間、緯度・経度、高度、方位、傾斜角、気圧、温度、目標物までの距離・高さ（低さ））を測定・記録・算出・表示する手段を備えたデジタル・カメラである。図３【０００２】  測定された環境情報（年・月・日・時間、緯度・経度、高度、方位、傾斜角、気圧、温度）は画像情報と対でデジタル・カメラに内蔵されたメモリー・カードに記録される。図６図７【０００３】  また、対象物までの距離測定、高さ（低さ）算出・表示機能と傾斜角測定機能を使って対象物までの距離とその高さ（低さ）を算出し、デジタル・カメラの表示画面に図示する。図８
【背景技術】
【０００４】  請求項１におけるデジタル・カメラの各機能は、傾斜角測定機能を除きデジタル・カメラや他の機器に既に実装されているものをデジタル・カメラ上にインテグレイトし、利用者の一層の利便性向上を図るものである。年・月・日・時間の測定・記録機能はデジタル・カメラ上で、緯度・経度を測定するＧＰＳ機能は携帯電話機やＧＰＳ専用機器で、高度、気圧、温度、方位測定機能はＣＡＳＩＯ（登録商標）の腕時計等で既に実装されている。【０００５】  対象物までの距離測定機器としては、ゴルフのピンまでの距離測定用専用機器等がすでに市販されている。携帯電話カメラでの特許公開も存在する。（特許公開２００６−３２９９６７）
【考案の開示】
【考案が解決しようとする課題】
【０００６】  請求項１に関しては、現在のデジタル・カメラの機能強化は手振れ防止や高画素化といった「いかに写真を綺麗に撮るか」が中心で撮った画像情報を「如何に活用するか」の視点やトータル・システム対応に欠けている。具体的には年・月・日・時間を記録することでその画像情報が何時記録されたかを知ることは可能であるが、どこで、どの様な状況で記録されたかを後々思い出すのは難しい。したがって、記録された画像情報の管理や効果的活用のためには年・月・日・時間に加え、位置情報（緯度・経度）等といった環境情報の同時記録がデジタル・カメラで必要となる。【０００７】  デジタル・カメラと例えばゴルフのピンまでの距離測定用専用機器は現在それぞれ別々に存在する。同じ光学機器ということからデジタル・カメラでこの機能が実現できればユーザーの利便性が高まり、かつ  新たな活用分野も広がる。
【課題を解決するための手段】
【考案の効果】
【０００８】  請求項１は、デジタル・カメラに年・月・日・時間、緯度・経度、高度、方位、傾斜角、気圧、温度、距離・高さ（低さ）の測定・記録・算出・表示機能を持たせるものである。これらの機能は傾斜角測定機能  図９を除き、デジタル・カメラや他の機器上ですでに実装されており、それらをデジタル・カメラ上で有機的に結合させるものである。傾斜角測定機能は傾斜角測定装置内部の円柱空間の中心に固定された回転軸に接続する円周上に角度目盛と円周のちょうど真ん中に重りを持った半円盤  および  装置内空間の最下部に設置された位置読取部からなる。角度目盛はデジタル・カメラの前方四分の一部分がプラス、後方四分の一部分はマイナスとなる。シャッターを押すと画像情報と共に年・月・日・時間、緯度・経度、高度、方位、傾斜角、気圧、温度情報が数値情報としてメモリー・カード上に記録される。これらの情報を後にアプリケーション・ソフトウェア等で利用することにより、その画像情報が何時記録されたかだけでなく、どこで、どの様な状況で記録されたかも知ることが可能となる。このことにより、ユーザーの画像情報管理やその活用に多大な便宜を与えることが可能となる。なお、年・月・日・時間に関しては画像の管理や印刷時の利便性を考慮し、画像情報上にイメージとして重ねて記録することも可能とする。図６図７【０００９】  デジタル・カメラの対象物距離測定ボタンをオンにセットし、ファインダーの十字を目標物に合わせ、軽くシャッターを押す。その結果、対象物までの距離と高さ（低さ）がデジタル・カメラの表示画面に図示される。これは距離測定機能と傾斜角測定機能により測定、高さ算出機能により算出（ＳｉｎΘ）される。距離と高さ（低さ）はメートルまたはヤード選択を可能とする。図４図８
【考案を実施するための最良の形態】
【００１０】  利用者の利便性を大幅に向上させるためには、デジタル・カメラの機能強化だけでは限界がある。メモリー・カード上に記録された環境情報をフルに活用するために、地図情報やアプリケーション・ソフトウェアとの連携、インターネット上での情報共有といった範囲までを包括した総合的な仕組み作りが必要となる。図２
【実施例】
【００１１】  ゴルフのピンまでの距離や高さ（低さ）を測定する。
建物や記念物などの高さを測定する。【００１２】  記録された環境情報をアプリケーション・ソフトウェアや地図情報、インターネットと連携させることで下記が実現できる。
産業廃棄物状況管理
例えば、廃棄された産業廃棄物の状況やその後の状態を地図上で管理することにより    、行政としての対策に役立てる。
旅行風景の時系列でのトラッキング
例えば、位置情報と時間情報を利用することで画像を旅行の工程順に地図上に表示し    、楽しむことが可能。
動物や植物（野草、野鳥、昆虫、魚等）の全国生息分布調査
例えば、記録された動物や植物の情報をインターネットを経由して広く収集し、その    位置情報や時間情報を活用することで、生息・生態分布の調査・分析に役立てる。
化石等発掘情報管理
例えば、化石等が発掘されたときに発掘された状態や場所が簡単に記録できる。その    情報を地図とリンクすることで発掘された化石の分布分析や管理が容易になる。
遺跡・史跡情報管理
例えば、全国の遺跡・史跡の情報を地図上で管理できる。
鉄道関連情報管理
例えば、全国全ての駅の画像や、その区間を走っている電車・汽車の画像を地図上で    管理できる。
風景情報管理
例えば、地図上のある場所から見られる風景（山、川、滝、海、空、橋、・・・）を    登録し、観賞することができる。
日本の建物情報管理
例えば、珍しい建物（ビルディング、寺院、・・・）の画像を存在する地図上で観賞    できる。
観光スポット情報管理
例えば、動物園、水族館、美術館、博物館、・・・・といった観光スポットの画像を    存在する地図上で観賞できる。
日本の銘木情報管理
例えば、銘木の画像情報を存在する地図上で観賞できる。
日本の庭園情報管理
例えば、日本庭園などの画像を存在する地図上で観賞できる。
お勧めの店情報管理
例えば、美味しいお店やお勧めのお店を登録し地図上で確認できる。
不動産情報管理
例えば、物件やその周囲の環境を地図上に表示し販促に役立てる。
【産業上の利用可能性】
【００１３】  いつ、何処でという環境情報が必要とされる画像情報管理において大きな効果が発揮される。例えば、不動産情報管理において、取扱う不動産物件の地図上の位置や物件の状況、さらに物件の周辺環境が画像情報で確認できれば販促に役立てられる。産業廃棄物状況管理では違法に投棄された産業廃棄物の情報をインターネット上、あるいは経由で登録してもらえれば、何処にどのような物が投棄されているかといった状況を正確に把握することが出来るようになり、行政としての対応をタイムリーに実施することが可能となる。また、全国で撮影された蝶の画像をインターネット上で数多く共用されれば、全国規模でいつ何処でどんな蝶が見られるかといったことや、ある種類の蝶の日本国内での生息分布、移動状況といった学術的なデータとしても活用可能となる。
【図面の簡単な説明】
【００１４】
【図１】次世代デジタル画像情報活用の方向
【図２】次世代デジタル画像情報活用のための仕組み全体図
【図３】当該実用新案登録出願におけるデジタル・カメラ新機能のまとめ
【図４】当該実用新案登録出願におけるデジタル・カメラの外観
【図５】当該実用新案登録出願におけるデジタル・カメラ新機能  画像の画像表示画面への表示
【図６】当該実用新案登録出願におけるデジタル・カメラ新機能  画像と時間情報のメモリー画像部への記録
【図７】当該実用新案登録出願におけるデジタル・カメラ新機能  各環境情報のメモリー数値・Ｔｅｘｔ部への記録
【図８】当該実用新案登録出願におけるデジタル・カメラ新機能  対象物の距離と高さ（低さ）の画像表示部への表示
【図９】当該実用新案登録出願におけるデジタル・カメラ新機能  傾斜角測定機能の仕組み
【手続補正３】
【補正対象書類名】図面
【補正対象項目名】図３
【補正方法】変更
【補正の内容】
【図３】
0003146769.tif 000012